(57)【特許請求の範囲】
【請求項１】
金属粉末またはセラミック粉末が含まれる未硬化の光硬化型インクの層である未硬化インク層をスクリーン印刷によって形成する未硬化インク層形成工程と、前記未硬化インク層の所定の部分に光を照射し前記未硬化インク層の所定の部分を硬化させて硬化インク層を形成する硬化インク層形成工程とを繰り返すことで、前記硬化インク層を積層して三次元造形物の原型を形成する造形物形成工程と、
前記造形物形成工程後に、前記硬化インク層形成工程で硬化しなかった未硬化の前記光硬化型インクを取り除く未硬化インク除去工程と、
前記未硬化インク除去工程後に、前記造形物形成工程で形成された前記三次元造形物の原型を加熱して三次元造形物の焼結体を製造する加熱工程と、を備え、
前記硬化インク層形成工程では、所定方向に走査される光源が前記未硬化インク層の所定の部分に光を照射するとともに、前記未硬化インク層の中の、点灯状態の前記光源が通過する箇所が前記硬化インク層となり、前記未硬化インク層の中の、消灯状態の前記光源が通過する箇所が前記未硬化インク除去工程で取り除かれる未硬化の前記光硬化型インクとなることを特徴とする三次元造形物の製造方法。
【請求項２】
前記硬化インク層形成工程では、前記硬化インク層の周りを囲むように前記未硬化インク層の外周側部分に光を照射して前記未硬化インク層の外周側部分を硬化させ、前記未硬化インク層の外周側への未硬化の前記光硬化型インクの流出を防止する流出防止部を形成することを特徴とする請求項１記載の三次元造形物の製造方法。
【請求項３】
前記光硬化型インクは、紫外線硬化型インクであることを特徴とする請求項１または２記載の三次元造形物の製造方法。
【請求項４】
前記光硬化型インクは、水溶性の紫外線硬化型インクであり、
硬化した前記光硬化型インクを水に溶かして未硬化の状態に戻し、未硬化の状態に戻した前記光硬化型インクを前記未硬化インク層形成工程で再利用することを特徴とする請求項３記載の三次元造形物の製造方法。
【請求項５】
前記光源は、紫外線を射出する複数の発光ダイオードが配列されたＵＶ−ＬＥＤアレイ、または、レーザー装置であることを特徴とする請求項１から４のいずれかに記載の三次元造形物の製造方法。
【発明の詳細な説明】
【技術分野】
【０００１】
本発明は、三次元造形物の製造方法に関する。
【背景技術】
【０００２】
従来、光造形物の製造方法が知られている（たとえば、特許文献１参照）。特許文献１に記載の光造形物の製造方法では、まず、ディスペンサによって造形テーブル上に光硬化性樹脂液を供給し、供給された光硬化性樹脂液をリコータによって掃引して一層分のコート層を形成してから、コート層の所定の部分に光を照射して第１層目の硬化樹脂層を形成する。その後、第１層目として形成された硬化樹脂層の外側にディスペンサによって光硬化性樹脂液を供給し、供給された光硬化性樹脂液をリコータによって掃引して次の一層分のコート層を形成してから、このコート層の所定の部分に光を照射して第１層目の樹脂硬化層の上に第２層目の硬化樹脂層を形成する。この製造方法では、以後、同様にして第３層目以降の樹脂硬化層を順次堆積させることで、光造形物を製造している。
【先行技術文献】
【特許文献】
【０００３】
【特許文献１】特開２００７−７６０９０号公報
【発明の概要】
【発明が解決しようとする課題】
【０００４】
特許文献１に記載の光造形物の製造方法では、ディスペンサによって光硬化性樹脂液を供給し、供給された光硬化性樹脂液をリコータによって掃引して一層分のコート層を形成しているため、コート層の面積が広くなると、一定の厚みを有するコート層を形成することが困難になる。すなわち、この製造方法では、大きな光造形物を製造するためにコート層の面積を広くすると、一定の厚みを有するコート層を形成することが困難になり、その結果、一定の厚みを有する樹脂硬化層を形成することが困難になる。したがって、この製造方法では、大きな光造形物を製造する場合に、光造形物を精度良く形成することが困難になる。
【０００５】
そこで、本発明の課題は、比較的大きな三次元造形物を製造する場合であっても、三次元造形物を精度良く製造することが可能となる三次元造形物の製造方法を提供することにある。
【課題を解決するための手段】
【０００６】
上記の課題を解決するため、本発明の三次元造形物の製造方法は、金属粉末またはセラミック粉末が含まれる未硬化の光硬化型インクの層である未硬化インク層をスクリーン印刷によって形成する未硬化インク層形成工程と、未硬化インク層の所定の部分に光を照射し未硬化インク層の所定の部分を硬化させて硬化インク層を形成する硬化インク層形成工程とを繰り返すことで、硬化インク層を積層して三次元造形物の原型を形成する造形物形成工程と、造形物形成工程後に、硬化インク層形成工程で硬化しなかった未硬化の光硬化型インクを取り除く未硬化インク除去工程と、未硬化インク除去工程後に、造形物形成工程で形成された三次元造形物の原型を加熱して三次元造形物の焼結体を製造する加熱工程と、を備え、硬化インク層形成工程では、所定方向に走査される光源が未硬化インク層の所定の部分に光を照射するとともに、未硬化インク層の中の、点灯状態の光源が通過する箇所が硬化インク層となり、未硬化インク層の中の、消灯状態の光源が通過する箇所が未硬化インク除去工程で取り除かれる未硬化の光硬化型インクとなることを特徴とする。
【０００７】
本発明の三次元造形物の製造方法では、未硬化の光硬化型インクの層である未硬化インク層をスクリーン印刷によって形成しているため、未硬化インク層の面積が広くなっても、スクリーンの厚みに応じた一定の厚みを有する未硬化インク層を形成することが可能になる。すなわち、本発明では、大きな三次元造形物を製造するために未硬化インク層の面積を広くしても、一定の厚みを有する未硬化インク層を形成することが可能になる。したがって、本発明では、比較的大きな三次元造形物を製造する場合であっても、一定の厚みを有する未硬化インク層の所定の部分を硬化させて、一定の厚みを有する硬化インク層を形成することが可能になる。その結果、本発明では、比較的大きな三次元造形物を製造する場合であっても、積層された硬化インク層によって三次元造形物を精度良く製造することが可能になる。
【０００８】
また、本発明では、未硬化インク除去工程において、硬化インク層形成工程で硬化しなかった未硬化の光硬化型インクが取り除かれるため、取り除かれた未硬化の光硬化型インクを未硬化インク層形成工程のスクリーン印刷で再利用することが可能になる。したがって、本発明では、１個当たりの三次元造形物を製造する際に使用される光硬化型インクの使用量を低減することが可能になる。
【０００９】
本発明において、硬化インク層形成工程では、硬化インク層の周りを囲むように未硬化インク層の外周側部分に光を照射して未硬化インク層の外周側部分を硬化させ、未硬化インク層の外周側への未硬化の光硬化型インクの流出を防止する流出防止部を形成することが好ましい。このように構成すると、未硬化インク層の外周側への未硬化の光硬化型インクの流出を防止するための枠材等が設けられていなくても、流出防止部によって、未硬化インク層の外周側への未硬化の光硬化型インクの流出を防止することが可能になる。したがって、三次元造形物の製造装置の構成を簡素化することが可能になる。また、このように構成すると、スクリーン印刷で使用されるスクリーンを流出防止部によって保持することが可能になる。
【００１０】
本発明において、光硬化型インクは、たとえば、紫外線硬化型インクである。この場合には、光硬化型インクは、水溶性の紫外線硬化型インクであり、硬化した光硬化型インクを水に溶かして未硬化の状態に戻し、未硬化の状態に戻した光硬化型インクを未硬化インク層形成工程で再利用することが好ましい。このように構成すると、たとえば、製造された三次元造形物や三次元造形物の原型が仮に不良品であった場合に、硬化した光硬化型インク（すなわち、三次元造形物や三次元造形物の原型）を水に溶かして未硬化の状態に戻し、未硬化の状態に戻した光硬化型インクを未硬化インク層形成工程のスクリーン印刷で再利用することが可能になる。
【００１２】
本発明において、光源は、紫外線を射出する複数の発光ダイオードが配列されたＵＶ−ＬＥＤアレイ、または、レーザー装置である。
【発明の効果】
【００１３】
以上のように、本発明の三次元造形物の製造方法によれば、比較的大きな三次元造形物を製造する場合であっても、三次元造形物を精度良く製造することが可能になる。
【図面の簡単な説明】
【００１４】
【図１】本発明の実施の形態にかかる三次元造形物の製造方法を説明するための図であり、（Ａ）は未硬化インク層形成工程を説明するための図、（Ｂ）、（Ｃ）は硬化インク層形成工程を説明するための図である。
【図２】本発明の実施の形態にかかる造形物形成工程後の状態を示す図であり、（Ａ）は縦断面図、（Ｂ）は平面図である。
【図３】図１、図２に示す三次元造形物の製造方法で製造された三次元造形物の側面図である。
【図４】図３に示す三次元造形物と形状の異なる三次元造形物の製造方法を説明するための図であり、（Ａ）は未硬化インク層形成工程を説明するための図、（Ｂ）、（Ｃ）、（Ｄ）は硬化インク層形成工程を説明するための図である。
【図５】図３に示す三次元造形物と形状の異なる三次元造形物の製造方法を説明するための図である。
【図６】図４、図５に示す三次元造形物の製造方法で製造された三次元造形物の側面図である。
【発明を実施するための形態】
【００１５】
以下、図面を参照しながら、本発明の実施の形態を説明する。
【００１６】
（三次元造形物の製造方法）
図１は、本発明の実施の形態にかかる三次元造形物の製造方法を説明するための図であり、（Ａ）は未硬化インク層形成工程を説明するための図、（Ｂ）、（Ｃ）は硬化インク層形成工程を説明するための図である。図２は、本発明の実施の形態にかかる造形物形成工程後の状態を示す図であり、（Ａ）は縦断面図、（Ｂ）は平面図である。図３は、図１、図２に示す三次元造形物の製造方法で製造された三次元造形物１の側面図である。
【００１７】
本形態の三次元造形物の製造方法で製造される三次元造形物１（図３参照）は、たとえば、円錐台状の造形物である。この三次元造形物１は、以下のように製造される。まず、図１（Ａ）に示すように、架台３の上に形成された離型層４の上に、スクリーン印刷によって光硬化型インク５を印刷して、未硬化の光硬化型インク５の層である未硬化インク層６を形成する（未硬化インク層形成工程）。すなわち、枠８に固定されたスクリーン９とスキージ１０とを用いたスクリーン印刷によって、離型層４の上に未硬化インク層６を形成する。本形態では、未硬化インク層形成工程において、円板状の未硬化インク層６が形成される。また、形成された未硬化インク層６の厚みは、たとえば、１μｍ〜１０μｍである。
【００１８】
ここで、本形態の光硬化型インク５は、紫外線が照射されると硬化する紫外線硬化型インク（ＵＶインク）である。より具体的には、光硬化型インク５は、水溶性のＵＶインクである。離型層４は、たとえば、シリコーン樹脂やフッ素樹脂のコーティングである。スクリーン９は、メッシュ状（網目状）に形成されている。このスクリーン９は、金属線や樹脂線を編み込むことで、あるいは、金属膜や樹脂膜をエッチングすることで形成されている。また、スクリーン９には、レジストによって印刷パターンが形成されている。スクリーン９の厚さやメッシュの粗さは、未硬化インク層６の厚みに応じて選定されている。たとえば、スクリーン９のメッシュの粗さは、１インチ当たり数メッシュから数千メッシュとなっている。
【００１９】
なお、未硬化インク層６の形状を維持するために、未硬化の光硬化型インク５の粘度は、数千〜数十万ｍＰａ・ｓｅｃ以上であることが好ましい。また、光硬化型インク５には、たとえば、金属粉末、セラミック粉末、無機フィラー（具体的には、石、砂、金属酸化物等の無機フィラー）、樹脂やゴムの粉末や溶液、繊維（具体的には、カーボンナノチューブ、植物繊維、紙粉末、セルロース、木材チップ等の繊維（ファイバー））、着色用色材および熱硬化性樹脂等の粉末の少なくともいずれか１つが含まれていても良い。光硬化型インク５にセラミック粉末が含まれている場合には、光硬化型インク５に釉薬粉末が含まれていても良い。また、光硬化型インク５に着色用色材が含まれている場合には、後述のように複数層形成される未硬化インク層６ごとに、光硬化型インク５に含まれる着色用色材の色を変えても良い。また、架台３自体がシリコーン樹脂やフッ素樹脂で形成されている場合には、架台３の上に離型層４が形成されていなくても良い。
【００２０】
離型層４の上に未硬化インク層６が形成されると、その後、図１（Ｂ）に示すように、未硬化インク層６の所定の部分に光を照射し未硬化インク層６の所定の部分を硬化させて硬化インク層１２を形成する（硬化インク層形成工程）。硬化インク層形成工程では、紫外線を射出する複数の発光ダイオード（ＵＶ−ＬＥＤ）が配列されたＵＶ−ＬＥＤアレイ１４とレンズアレイ１５とを用いて、ＵＶ−ＬＥＤアレイ１４から射出される紫外線を、レンズアレイ１５を介して未硬化インク層６の所定の部分に照射し未硬化インク層６の所定の部分を完全硬化させて硬化インク層１２を形成する。
【００２１】
ＵＶ−ＬＥＤアレイ１４では、図１の紙面垂直方向にＵＶ−ＬＥＤが配列されている。また、ＵＶ−ＬＥＤアレイ１４の解像度は、たとえば、１２００ｄｐｉ〜６００ｄｐｉとなっている。硬化インク層形成工程では、ＵＶ−ＬＥＤアレイ１４およびレンズアレイ１５が図１の左右方向へ走査する。また、硬化インク層形成工程では、硬化インク層１２が三次元造形物１の一部を構成するための適切な形状となるように、ＵＶ−ＬＥＤアレイ１４が走査しながら、複数のＵＶ−ＬＥＤのうちから選択されたＵＶ−ＬＥＤが点灯する。本形態では、硬化インク層形成工程において、円板状の硬化インク層１２が形成される。
【００２２】
また、硬化インク層形成工程では、硬化インク層１２の周り（外周側）を囲むように未硬化インク層６の外周側部分に光を照射して未硬化インク層６の外周側部分を硬化させ、未硬化インク層６の外周側への未硬化の光硬化型インク５の流出を防止する流出防止部１７を形成する。このときには、未硬化インク層６の外周側部分を完全硬化させて流出防止部１７を形成する。本形態では、硬化インク層形成工程において、未硬化インク層６の外周端部分が完全硬化させられて、円環状の流出防止部１７が形成される。以下では、硬化インク層形成工程で硬化しなかった未硬化の光硬化型インク５を「未硬化インク１６」とする。
【００２３】
その後、一層目の硬化インク層１２、未硬化インク１６および流出防止部１７の上に、スクリーン印刷によって未硬化の光硬化型インク５を印刷して円板状の未硬化インク層６を形成する（未硬化インク層形成工程）。また、図１（Ｃ）に示すように、この未硬化インク層形成工程において形成された未硬化インク層６の所定の部分に光を照射し未硬化インク層６の所定の部分を完全硬化させて硬化インク層１２を形成する（硬化インク層形成工程）。この硬化インク層形成工程でも、流出防止部１７を形成する。その後、二層目の硬化インク層１２、未硬化インク１６および流出防止部１７の上に、スクリーン印刷によって未硬化の光硬化型インク５を印刷して円板状の未硬化インク層６を形成し（未硬化インク層形成工程）、この未硬化インク層形成工程において形成された未硬化インク層６の所定の部分に光を照射し未硬化インク層６の所定の部分を完全硬化させて硬化インク層１２を形成する（硬化インク層形成工程）。この硬化インク層形成工程でも、流出防止部１７を形成する。
【００２４】
以後、同様にして、未硬化インク層形成工程と硬化インク層形成工程とを繰り返すことで、硬化インク層１２を積層して、図２に示すように、三次元造形物１を形成する（造形物形成工程）。この造形物形成工程では、積層される流出防止部１７によって流出防止堰１８が形成される。その後、硬化インク層形成工程で硬化しなかった未硬化インク１６を取り除く（未硬化インク除去工程）。また、流出防止堰１８を除去するとともに離型層４から三次元造形物１を剥離する。離型層４から三次元造形物１が剥離されると、三次元造形物１が完成する。なお、図２（Ｂ）では、架台３および離型層４の図示を省略している。
【００２５】
（本形態の主な効果）
以上説明したように、本形態では、未硬化の光硬化型インク５の層である未硬化インク層６をスクリーン印刷によって形成しているため、未硬化インク層６の面積が広くなっても、スクリーン９の厚みに応じた一定の厚みを有する未硬化インク層６を形成することが可能になる。すなわち、本形態では、大きな三次元造形物１を製造するために未硬化インク層６の面積を広くしても、一定の厚みを有する未硬化インク層６を形成することが可能になる。したがって、本形態では、比較的大きな三次元造形物１を製造する場合であっても、一定の厚みを有する未硬化インク層６の所定の部分を硬化させて、一定の厚みを有する硬化インク層１２を形成することが可能になる。その結果、本形態では、比較的大きな三次元造形物１を製造する場合であっても、積層された硬化インク層１２によって三次元造形物１を精度良く製造することが可能になる。
【００２６】
本形態では、未硬化インク除去工程において、硬化インク層形成工程で硬化しなかった未硬化インク１６が取り除かれている。そのため、本形態では、未硬化インク除去工程で取り除かれた未硬化インク１６を未硬化インク層形成工程のスクリーン印刷で再利用することが可能になる。したがって、本形態では、１個当たりの三次元造形物１を製造する際に使用される光硬化型インク５の使用量を低減することが可能になる。
【００２７】
本形態では、光硬化型インク５は、水溶性のＵＶインクである。そのため、本形態では、たとえば、製造された三次元造形物１が仮に不良品であった場合に、硬化した光硬化型インク５（すなわち、三次元造形物１）を水に溶かして未硬化の状態に戻すことが可能になる。また、未硬化の状態に戻した光硬化型インク５を未硬化インク層形成工程のスクリーン印刷で再利用することが可能になる。
【００２８】
本形態では、硬化インク層形成工程において、未硬化インク層６の外周側への未硬化インク１６の流出を防止する流出防止部１７を形成している。そのため、本形態では、未硬化インク層６の外周側への未硬化インク１６の流出を防止するための枠材等が設けられていなくても、流出防止部１７によって未硬化インク１６の流出を防止することが可能になる。したがって、本形態では、三次元造形物１の製造装置の構成を簡素化することが可能になる。また、本形態では、スクリーン９が硬化インク層１２に対して平行になるように、流出防止部１７によってスクリーン９を保持することも可能になる。
【００２９】
（三次元造形物の製造方法の変形例）
上述した形態では、離型層４から三次元造形物１が剥離されると、三次元造形物１が完成する。この他にもたとえば、光硬化型インク５に金属粉末、セラミック粉末または熱硬化性樹脂の粉末が含まれている場合には、造形物形成工程において三次元造形物１の原型を形成するとともに、離型層４から三次元造形物１の原型を剥離した後に、加熱炉２１（図３参照）の中で、三次元造形物１の原型を加熱して三次元造形物１を製造しても良い。すなわち、光硬化型インク５に金属粉末、セラミック粉末または熱硬化性樹脂の粉末が含まれている場合には、未硬化インク除去工程後に、造形物形成工程で形成された三次元造形物１の原型を加熱して三次元造形物１を製造する加熱工程が設けられていても良い。
【００３０】
たとえば、光硬化型インク５に金属粉末が含まれている場合には、加熱工程において、三次元造形物１の原型を焼いて、金属の焼結体を三次元造形物１として製造しても良い。また、光硬化型インク５にセラミック粉末が含まれている場合には、加熱工程において、三次元造形物１の原型を焼いて、陶器を三次元造形物１として製造しても良い。なお、加熱工程において三次元造形物１の原型を焼いて、三次元造形物１として金属の焼結体や陶器を製造する場合、光硬化型インク５が水溶性のＵＶインクであると、加熱工程において光硬化型インク５を比較的容易に除去することが可能になるため、金属の焼結体や陶器を比較的容易に製造することが可能になる。
【００３１】
（三次元造形物の形状の変形例）
上述した形態では、三次元造形物１の形状は、円錐台状であるが、三次元造形物１の形状は、円錐台状以外の形状であっても良い。たとえば、三次元造形物１は、図５、図６に示すように、中空の略半球状に形成されても良い。この場合であっても、三次元造形物１を製造するときには、まず、図４（Ａ）に示すように、架台３の上に形成された離型層４の上に、スクリーン印刷によって未硬化の光硬化型インク５を印刷して円板状の未硬化インク層６を形成する（未硬化インク層形成工程）。その後、図４（Ｂ）に示すように、未硬化インク層６の所定の部分に光を照射し未硬化インク層６の所定の部分を完全硬化させて円環状の硬化インク層１２を形成する（硬化インク層形成工程）。この硬化インク層形成工程では、円環状の流出防止部１７も形成する。
【００３２】
その後、一層目の硬化インク層１２、未硬化インク１６および流出防止部１７の上に、スクリーン印刷によって未硬化の光硬化型インク５を印刷して円板状の未硬化インク層６を形成してから（未硬化インク層形成工程）、図４（Ｃ）に示すように、この未硬化インク層形成工程において形成された未硬化インク層６の所定の部分に光を照射し未硬化インク層６の所定の部分を完全硬化させて円環状の硬化インク層１２を形成する（硬化インク層形成工程）。この硬化インク層形成工程でも、円環状の流出防止部１７を形成する。その後、二層目の硬化インク層１２、未硬化インク１６および流出防止部１７の上に、スクリーン印刷によって未硬化の光硬化型インク５を印刷して円板状の未硬化インク層６を形成してから（未硬化インク層形成工程）、図４（Ｄ）に示すように、この未硬化インク層形成工程において形成された未硬化インク層６の所定の部分に光を照射し未硬化インク層６の所定の部分を完全硬化させて円環状の硬化インク層１２を形成する（硬化インク層形成工程）。この硬化インク層形成工程でも、円環状の流出防止部１７を形成する。
【００３３】
以後、同様にして、未硬化インク層形成工程と硬化インク層形成工程とを繰り返すことで、硬化インク層１２を積層して、図５に示すように、三次元造形物１を形成する（造形物形成工程）。その後、硬化インク層形成工程で硬化しなかった未硬化インク１６を取り除く（未硬化インク除去工程）。また、流出防止堰１８を除去するとともに離型層４から三次元造形物１を剥離する。離型層４から三次元造形物１が剥離されると、三次元造形物１が完成する。
【００３４】
なお、この三次元造形物１の底面部には、中空に形成される三次元造形物１から未硬化インク１６を取り除くための貫通孔１ａが形成されている。また、光硬化型インク５に金属粉末、セラミック粉末または熱硬化性樹脂の粉末が含まれている場合には、造形物形成工程において三次元造形物１の原型を形成するとともに、離型層４から三次元造形物１の原型を剥離した後に、加熱炉２１（図６参照）の中で、三次元造形物１の原型を加熱して三次元造形物１を製造しても良い。また、この三次元造形物１は中空状に形成されており、造形物形成工程において、何層目かの硬化インク層１２がその下側に配置される硬化インク層１２に対してオーバーハングした状態になることがある。このオーバーハングした状態の硬化インク層１２は、その下側にある未硬化インク１６によって崩れないように保持されている。
【００３５】
（他の実施の形態）
上述した形態では、光硬化型インク５は、水溶性のＵＶインクであるが、光硬化型インク５は、水溶性を有しないＵＶインクであっても良い。また、光硬化型インク５は、ＵＶ硬化型樹脂を有機溶剤で希釈したソルベントＵＶインクであっても良い。この場合には、光硬化型インク５に含まれるＵＶ硬化型樹脂は、たとえば、ラジカル重合若しくはカチオン重合によって硬化するタイプのいずれか１つ、または、これらの混合物である。また、光硬化型インク５は、紫外線以外の光が照射されると硬化するインクであっても良い。たとえば、光硬化型インク５は、可視光が照射されることで硬化するインクであっても良い。
【００３６】
上述した形態では、硬化インク層形成工程において、未硬化インク層６の所定の部分に紫外線を照射する光源として高解像度のＵＶ−ＬＥＤアレイ１４が用いられている。この他にもたとえば、未硬化インク層６の所定の部分に紫外線を照射する光源として、ファイバーレーザー、紫外線半導体レーザー、あるいは、エキシマレーザー等のレーザー装置が使用されても良い。また、光硬化型インク５が紫外線以外の光が照射されると硬化するインクである場合には、光硬化型インク５の種類に応じた光源が硬化インク層形成工程において使用されれば良い。
【００３７】
上述した形態において、未硬化インク層形成工程で印刷される光硬化型インク５の粘度が低い場合には、未硬化インク層形成工程で印刷された光硬化型インク５に低強度の紫外線を照射して、光硬化型インク５の粘度を高めても良い。また、上述した形態では、硬化インク層形成工程において流出防止部１７を形成しているが、未硬化の光硬化型インク５の粘度が比較的高い場合には、硬化インク層形成工程において流出防止部１７を形成しなくても良い。また、上述した形態では、離型層４は、たとえば、シリコーン樹脂やフッ素樹脂のコーティングであるが、離型層４は、水溶性樹脂や紫外線硬化型樹脂のように、水や特定の溶剤に溶ける樹脂のコーティングであっても良い。また、上述した形態において、光硬化型インク５に着色用色材が含まれていない場合には、二次加飾法を使って後から三次元造形物１を着色しても良い。
【符号の説明】
【００３８】
１  三次元造形物
５  光硬化型インク
６  未硬化インク層
１２  硬化インク層
１４  ＵＶ−ＬＥＤアレイ（光源）
１７  流出防止部
【図１】
0006532122.tif 000002
【図２】
0006532122.tif 000003
【図３】
0006532122.tif 000004
【図４】
0006532122.tif 000005
【図５】
0006532122.tif 000006
【図６】
0006532122.tif 000007